(57)【要約】【課題】  あらゆる壁や柱に対しても設置可能で、かつ、十分な吊り下げ強度を有するフックを提供する。【解決手段】  壁等１５に皿部分を残して首下までねじ込まれるビス４０と、ビスの皿部分４１に取付けられるフック基部３０と、フック基部の表面に設けられた引っかけ部２０と、フック基部の裏面側に設けられ、フック基部の下端面から中心付近までビスの皿部分が挿通可能な嵌合用スリット３１と、を有し、嵌合用スリットのフック基部の裏面位置におけるスリット開口部の幅がビスの皿部分の最大径より狭く、嵌合用スリット３１にビスの皿部分４１を挿通することによって、ビスの皿部分４１とフック基部３０が取付けられていることを特徴とするフック１０である。【選択図】図１
2011078464.tif 000002
【特許請求の範囲】
【請求項１】
壁又は柱に設けられるフックであって、
前記壁又は柱に皿部分を残して首下までねじ込まれるビスと、
前記ビスの皿部分に取付けられるフック基部と、
前記フック基部の表面に設けられた引っかけ部と、
前記フック基部の裏面側に設けられ、前記フック基部の下端面から中心付近まで前記ビスの皿部分が挿通可能な嵌合用スリットと、を有し、
前記嵌合用スリットの前記フック基部の裏面位置におけるスリット開口部の幅が前記ビスの皿部分の最大径より狭く、前記嵌合用スリットに前記ビスの皿部を挿通することによって、前記ビスの皿部分と前記フック基部が取付けられていることを特徴とするフック。
【請求項２】
前記スリット開口部の周囲に、前記嵌合用スリットよりも浅い補助スリットが設けられていることを特徴とする請求項１に記載のフック。
【請求項３】
前記フック基部の裏面に任意の方向に削った摩擦スリットを有し、前記フック基部の裏面の摩擦抵抗を増加させたことを特徴とする請求項１または２に記載のフック。
【請求項４】
前記壁又は柱が石膏ボードの場合は、前記壁又は柱にねじ込まれた石膏ボード用アンカーねじに、前記ビスが皿部分を残して首下までねじ込まれることを特徴とする請求項１〜３のいずれかに記載のフック。
【請求項５】
前記壁又は柱がコンクリート、タイル又はブロックの場合は、前記壁又は柱に穿孔した孔に設けられたプラグに、前記ビスが皿部分を残して首下までねじ込まれることを特徴とする請求項１〜３のいずれかに記載のフック。
【発明の詳細な説明】
【技術分野】
【０００１】
本発明は、壁や柱に取付けて衣服等を吊り下げるフックに関する。
【背景技術】
【０００２】
従来、衣服等を吊り下げるためのフックの壁等への取付方法としては、両面テープを用いて接着するもの（例えば、特許文献１）、ビスをフック基部（フックと壁等とが密着する部分）に貫通させて留めるもの（例えば、特許文献２）、又は、吸盤を用いて吸着させるもの（例えば、特許文献３）がある。ここで、両面テープの場合は、ビスで留めるのに比べると、比較的重い衣服等を吊す場合には、強度上の問題がある。また、ビスをフック基部に貫通させて留めるものは、背後の壁等の種類によっては、ビスが抜けやすい場合や、硬くて容易に留められない場合がある。吸盤を用いるものも、背後の壁等の凹凸によっては、吸着できない場合がある。
【先行技術文献】
【特許文献】
【０００３】
【特許文献１】特開２００７−２６８２４８号公報
【特許文献２】特開２００２−７８５９７号公報
【特許文献３】特開２０００−１２６０１４号公報
【発明の概要】
【発明が解決しようとする課題】
【０００４】
本発明は、斯かる実情に鑑み、あらゆる壁や柱に対しても設置可能で、かつ、十分な吊り下げ強度を有するフックを提供しようとするものである。
【課題を解決するための手段】
【０００５】
本発明のフックは、壁又は柱に皿部分を残して首下までねじ込まれるビスと、前記ビスの皿部分に取付けられるフック基部と、フック基部の表面に設けられた引っかけ部と、フック基部の裏面側に設けられ、フック基部の下端面から中心付近まで前記ビスの皿部分が挿通可能な嵌合用スリットと、を有し、嵌合用スリットのフック基部の裏面位置におけるスリット開口部の幅がビスの皿部分の最大径より狭く、嵌合用スリットにビスの皿部を挿通することによって、ビスの皿部分とフック基部が取付けられていることを特徴とするものである。
【０００６】
また、スリット開口部の周囲に、嵌合用スリットよりも浅い補助スリットが設けられている構成にしても良い。さらに、フック基部の裏面に任意の方向に削った摩擦スリットを有し、フック基部の裏面の摩擦抵抗を増加させる構成にすることもできる。
【０００７】
なお、壁又は柱が石膏ボードの場合は、壁又は柱にねじ込まれた石膏ボード用アンカーねじに、ビスが皿部分を残して首下までねじ込まれることにしたり、壁又は柱がコンクリート、タイル又はブロックの場合は、壁又は柱に穿孔した孔に設けたプラグに、ビスが皿部分を残して首下までねじ込まれることにしても良い。
【発明の効果】
【０００８】
本発明のフックによれば、壁や柱にねじ込まれたビスにフック基部が取付けられているため、フックの吊り下げ強度が高く、また、壁や柱が石膏ボードのように柔らかい場合や、逆にコンクリートのようにビスをねじ込むには硬すぎる場合には、石膏ボード用アンカーねじやプラグを用いれば良いので、あらゆる壁等に使用できるという優れた効果を奏し得る。
【０００９】
さらに、フック基部の裏面に補助スリットを設けることにより、石膏ボード用アンカーねじ等の皿部分が壁等の面位置よりも出ている場合でも、壁等とフック基部の裏面とを密着させることができ、また、摩擦スリットを設けることにより、壁等とフック基部の裏面との摩擦抵抗が高くなるため、フックが回転しにくくなるという効果を奏する。
【図面の簡単な説明】
【００１０】
【図１】本発明のフックを壁等に取付ける状況を示す図であり、（ａ）はビスとフック基部の嵌合前、（ｂ）はビスとフック基部の嵌合後を示す。
【図２】図１（ｂ）の下面図である。
【図３】背後の壁等が石膏ボードの場合に、本発明のフックを取付けた状況を示す図である。
【図４】背後の壁等がコンクリートのように硬い場合に、本発明のフックを取付けた状況を示す図である。
【図５】図３の下面図である。
【図６】本発明のフック基部の裏面図であり、（ａ）は図１，２で用いたフック基部、（ｂ）は図３〜５で用いたフック基部、（ｃ）は嵌合用スリットの形状を変えたフック基部を示す。
【発明を実施するための形態】
【００１１】
以下、本発明の実施の形態を添付図面を参照して説明する。
図１は、本発明のフックを壁等に取付ける状況を示す図であり、（ａ）はビスとフック基部の嵌合前、（ｂ）はビスとフック基部の嵌合後を示す。また、図２は、図１（ｂ）の下面図である。本発明のフック１０は、壁等１５に首下までビス４０をねじ込み、そのビスの皿部分４１をフック基部３０の裏面側に設けられた嵌合用スリット３１に挿通させることにより、設置するものである。
【００１２】
ここで、フック基部３０とは、表面に吊り下げ用の引っかけ部２０を有し、裏面側には嵌合用スリット３１を有して、ビスの皿部分４１と嵌合する部材のことである。形状は、丸、四角など特に制限はないが、嵌合用スリット３１を設けるため、ビスの皿部分４１よりも厚くなければならない。ビスの皿部分４１とフック基部３０との嵌合は、図１（ａ）（ｂ）に示したように、フック基部３０の裏面を壁等１５に押し当てた状態で下方向に滑らせ、ビスの皿部分４１が嵌合用スリット３１に挿通し、嵌合用スリット３１の最上端部に当接するまで動かされる。
【００１３】
ここで、嵌合用スリット３１は、フック基部３０の下端面からフック基部３０の中心付近まで設けられており、その断面は、ビスの皿部分４１が挿通可能な形状かつ大きさであって、さらに、フック基部３０の裏面位置におけるスリット開口部の幅ｄがビスの皿部分４１の最大径Ｒよりも狭くなっていなければならない。これは、嵌合用スリット３１にビスの皿部分４１を挿通させたときに、フック基部３０の裏面がビスの皿部分４１と壁等１５との間に挟まれることで、フック１０が固定されるからである。なお、ビスの皿部分４１の壁等１５からの突出量を調整すれば、フック基部３０の裏面と壁等１５との密着度を調整することができ、フック１０のガタつきを抑えることができる。
【００１４】
引っかけ部２０は、フック基部３０の表面に設けられ、衣服等を吊り下げられるように先端が上を向いている。ここで、引っかけ部２０とフック基部３０とは、フック基部３０の下方で結合されていることが望ましい。これは、フック１０を壁等１５に取付けたときに、壁等１５にねじ込んだビスの皿部分４１が、引っかけ部２０の位置よりも下方にあると、引っかけ部２０に衣服等を吊り下げたときに、フック１０が回転する恐れがあるからである。したがって、嵌合用スリット３１は、なるべくフック基部３０の中心位置より少し上まで設けられていて、引っかけ部２０は、フック基部３０の下方に設けられていることが望ましい。
【００１５】
図３は、背後の壁等が石膏ボードの場合に、本発明のフックを取付けた状況を示す図である。また、図４は、背後の壁等がコンクリートのように硬い場合に、本発明のフックを取付けた状況を示す図であり、図５は、図３の下面図である。
【００１６】
図３のように、背後の壁等１５が石膏ボードの場合には、図１と同様にしてビスをねじ込んだとしてもビスが抜けやすく、吊り下げ強度は不足する。そこで、石膏ボード用アンカーねじ４２を先にねじ込んでおくことで、強度不足を解消することができる。また、背後の壁等１５がコンクリート、タイル又はブロックのように硬い場合は、ビスを直接ねじ込むことは難しいので、図４のように、先に穿孔した孔にプラグ４３を設けることで、ビスを使用することができる。ここで、石膏ボード用アンカーねじ４２やプラグ４３の皿部分が、壁等１５の面位置よりも中に押し込まれていれば問題はないが、面位置よりも突出している場合は、壁等１５とフック基部３０の裏面とが密着することができないため、フック１０にガタつきが生じるという問題がある。そこで、図５のように嵌合用スリット３１のスリット開口部の周囲に嵌合用スリット３１よりも浅い（深さ１ｍｍ〜２ｍｍ程度）補助スリット３２を設けると良い。そうすることにより、石膏ボード用アンカーねじ４２やプラグ４３の皿部分が補助スリット３２の中に収まり、フック基部３０の裏面と壁等１５が密着することができるようになる。
【００１７】
図６は、本発明のフック基部の裏面図であり、（ａ）は図１，２で用いたフック基部、（ｂ）は図３〜５で用いたフック基部、（ｃ）は嵌合用スリットの形状を変えたフック基部を示す。
【００１８】
図６（ａ）では、フック基部３０の裏面と壁等との摩擦抵抗を大きくするために、嵌合用スリット３１のスリット開口部を除いて、横方向に摩擦スリット３３を設けている。摩擦スリット３３は、フック基部３０の裏面を線状に数カ所削ることによって設けることができる。なお、削る向きは任意で良いと考えられる。このように、摩擦スリット３３を設けることにより、壁等とフック基部３０の裏面との摩擦抵抗が大きくなるので、フックが回りにくいという効果を奏する。
【００１９】
図６（ｂ）では、石膏ボード用アンカーねじ等の皿部分が壁等の面位置よりも突出している場合に、その突出している皿部分がフック基部３０の裏面に接してガタつきが生じることを防止するために、嵌合用スリット３１のスリット開口部の周囲に、浅い補助スリット３２を設けたものである。この補助スリット３２に石膏ボード用アンカーねじ等の皿部分が納まることにより、フック基部３０の裏面と壁等が密着でき、ガタつきを抑えられる。
【００２０】
図６（ｃ）は、嵌合用スリット３１をフック基部３０の下端面から設けるのではなく、フック基部３０の裏面中央付近に設けたものである。ここでは、ビスの皿部分をフック基部３０の裏面から直接嵌合用スリット３１に差し込み、フック基部３０を少し下げて、嵌合できるようになっている。したがって、図６（ｃ）の嵌合用スリット３１の開口部は、ビスの皿部分を挿入できるようにスリットの拡がった部分と、ビスの皿部分を引っかけることができるスリット部分が組み合わされた形状になる。
【００２１】
なお、図６（ｂ）（ｃ）では、摩擦スリット３３を図示していないが、当然これらにも摩擦スリット３３を施すことができる。特に図６（ｂ）のように補助スリット３２を設けた場合は、壁等に密着するフック基部３０の裏面の面積が小さくなるので、摩擦抵抗を大きくする対策を施すことは、フックが回らないようにするのに効果的である。
【００２２】
さらに、本発明のフックは、基本的には、特定のビスを使用する必要がある。しかし、設置場所の条件で小さなビスしか使用できない場合や、手持ちのビスを使用したい場合もある。そこで、様々な大きさのビスでもフックを設けられるように、嵌合用スリットの形状に対応した特定のワッシャーを利用できるようにしても良い。つまり、皿部分の小さいビスに、特定のワッシャーを装着することで、嵌合用スリットと嵌合することができるようにすれば、利便性が高くなると考えられる。
【００２３】
また、図示した例は、いずれもビスが１本の場合であるが、ビスを２本使用しても良い。ビスを２本にすることによって、取付けたフックが回転しなくなり、また、吊り下げ強度を高めることもできる。
【符号の説明】
【００２４】
１０          フック
１５          壁等
２０          引っかけ部
３０          フック基部
３１          嵌合用スリット
３２          補助スリット
３３          摩擦スリット
４０          ビス
４１          ビスの皿部分
４２          石膏ボード用アンカーねじ
４３          プラグ
ｄ            スリット開口部の幅
Ｒ            ビスの皿部分の最大径
【図１】
2011078464.tif 000003
【図２】
2011078464.tif 000004
【図３】
2011078464.tif 000005
【図４】
2011078464.tif 000006
【図５】
2011078464.tif 000007
【図６】
2011078464.tif 000008